(57)【要約】【課題】施工中の穿孔部分の沈下や経年変化による透水層部分の地盤沈下の生じることのない透水層の造成方法を提供する。【解決手段】地盤３４中の不透水層を透水層６２に改良する透水層の造成方法であって、地盤３４中に２重ジェット管２４を挿入し、２重ジェット管２４からの高圧噴射により改良対象地盤層５０の上層５２を水平掘削して、セメントを充填し上層スラブ５４を造成する工程と、上層スラブ５４の硬化後、上層スラブ５４を貫通させて２重ジェット管２４を改良対象地盤層５０まで挿入し、２重ジェット管２４からの高圧噴射により改良対象地盤層５０を水平掘削して掘削空隙６４を形成する工程と、掘削空隙６４に透水性材料を充填して透水層６２を形成する工程とを含む。【選択図】図３
2009138332.tif 000002
【特許請求の範囲】
【請求項１】
地盤中の不透水層を透水層に改良する透水層の造成方法であって、
地盤中にジェット管を挿入し、前記ジェット管からの高圧噴射により改良対象地盤層の上層を水平掘削して、セメントを充填し上層スラブを造成する工程と、
前記上層スラブの硬化後、前記上層スラブを貫通させて前記ジェット管を改良対象地盤層まで挿入し、前記ジェット管からの高圧噴射により前記改良対象地盤層を水平掘削して空隙を形成する工程と、
前記空隙に透水性材料を充填して透水層を形成する工程と、
を含むことを特徴とする透水層の造成方法。
【請求項２】
請求項１において、
前記透水性材料は、スクリューコンベアにて、充填位置まで搬送されることを特徴とする透水層の造成方法。
【請求項３】
請求項１において、
前記上層スラブ用のセメント及び透水層用の透水性材料は、ジェット管により高圧噴射されることを特徴とする透水層の造成方法。
【請求項４】
請求項１において、
前記透水層用の透水性材料は、つなぎ材と共に前記空隙に充填されることを特徴とする透水層の造成方法。
【請求項５】
請求項１において、
少なくとも前記改良対処地盤層を掘削する際に前記ジェット管から解こう剤または分散剤を掘削土に供給することを特徴とする透水層の造成方法。
【発明の詳細な説明】
【技術分野】
【０００１】
本発明は、透水層の造成方法に関し、特に、粘土層や不透水地下層に透水層を形成するための透水層の造成方法に関する。
【背景技術】
【０００２】
地盤中に連続した平板状の透水層を造成する方法として特許文献１に示すようなものがある。
【０００３】
この方法では、地盤中にジェット管を挿入し、このジェット管に設けた水平方向に噴射可能なジェットノズルより高圧水を噴射して地盤に穿孔し、続いてこの穿孔内にサンドグラウトまたは地盤硬化薬液と多量の気泡剤の混合液を圧送し、これらの工程をジェット管を回転または引き上げながら行うことにより、地盤中に連続した平板状の透水層を造成し、この透水層を通じて排水するようにしている。
【特許文献１】特公昭５０−２７２８１号公報
【発明の開示】
【発明が解決しようとする課題】
【０００４】
このような透水層の造成方法にあっては、地盤中に直接穿孔を行って、そこに透水性の材料を圧送することで透水層を形成するため、透水層自体の強度が経年変化で弱くなった場合に地盤沈下が生じる可能性が生じることとなる。
【０００５】
また、施工中においても、透水層形成位置の上部に透水層形成用の機器を設置していると、その重量により穿孔部分が沈下したりすることが考えられる。
【０００６】
本発明の目的は、施工中の穿孔部分の沈下や経年変化による透水層部分の地盤沈下の生じることのない透水層の造成方法を提供することにある。
【課題を解決するための手段】
【０００７】
前記目的を達成するため、本発明の透水層の造成方法は、地盤中の不透水層を透水層に改良する透水層の造成方法であって、
地盤中にジェット管を挿入し、前記ジェット管からの高圧噴射により改良対象地盤層の上層を水平掘削して、セメントを充填し上層スラブを造成する工程と、
前記上層スラブの硬化後、前記上層スラブを貫通させて前記ジェット管を改良対象地盤層まで挿入し、前記ジェット管からの高圧噴射により前記改良対象地盤層を水平掘削して空隙を形成する工程と、
前記空隙に透水性材料を充填して透水層を形成する工程と、
を含むことを特徴とする。
【０００８】
本発明によれば、改良対象地盤層の上層に上層スラブを造成し、その下層である改良対象地盤層に透水層を造成するため、経年変化により透水層の強度が弱くなっても、上部荷重を上層スラブが受け持つことができ、透水層の経年変化による地盤沈下を防止することができ、しかも、上層スラブを造成した後、透水層を造成するため、透水層形成位置上に施工機器等を設置していても、その重量によって施工中の穿孔部分が沈下するのを防止することができる。
【０００９】
ここで、ジェット管とは水またはエアをジェット噴流として噴射して地盤の切削を行う管をいう。
【００１０】
本発明においては、前記透水性材料は、スクリューコンベアにて、充填位置まで搬送されるようにすることができる。
【００１１】
このような構成とすることにより、透水性材料を目詰まりを生じさせることなく確実に充填位置まで搬送することができる。
【００１２】
本発明においては、前記上層スラブ用のセメント及び透水層用の透水性材料は、ジェット管により高圧噴射されるようにすることができる。
【００１３】
このような構成とすることにより、セメントや透水性材料を掘削した部分の奥まで確実に供給、充填することができる。
【００１４】
本発明においては、前記透水層用の透水性材料は、つなぎ材と共に前記空隙に充填されるようにすることができる。
【００１５】
このような構成とすることにより、つなぎ材により透水性材料に流動性を持たせて確実に空隙内に流し込むことができる。
【００１６】
本発明においては、少なくとも前記改良対処地盤層を掘削する際に前記ジェット管から解こう剤または分散剤を掘削土に供給するようにすることができる。
【００１７】
このような構成とすることにより、解こう剤または分散剤により掘削土の粘性復活作用であるチキソトロピーを防止して、確実に掘削土を地上に搬出することができる。
【発明を実施するための最良の形態】
【００１８】
以下、本発明の実施の形態について、図面を参照して説明する。
【００１９】
図１〜図５は、本発明の一実施の形態に係る透水層の造成方法を示す図である。
【００２０】
本実施の形態に係る透水層の造成方法においては、図１〜図３に示すような地盤改良用施工機１０を用いて透水層の造成施工を行うようにしている。
【００２１】
この地盤改良用施工機１０は、例えばジェットグラウト工法における施工機を用いることができるもので、ベースマシン１２と、このベースマシン１２に立設したリーダ１４と、このリーダ１４に沿って上下動するスライド部１６と、このスライド部１６に設けた多重管ロッド１８とを有している。
【００２２】
多重管ロッド１８は、図４及び図５に示すように、ケーシングパイプ２０と、このケーシングパイプ２０内に配設されたスクリューコンベア２２と、水や空気を噴射するための２重ジェット管２４とを有している。
【００２３】
スクリューコンベア２２は、図４に示すように、スクリュー羽根２６を回転可能なスクリュー軸２８に取り付けた状態となっており、ケーシングパイプ２０内で回転してケーシングパイプ２０の上端に設けた材料ホッパ３０からセメントや透水性材料３２を下方に搬送してケーシングパイプ２０の下端より地盤３４中に供給できるようになっている。
【００２４】
２重ジェット管２４は、図５に示すように、スクリュー軸２８を外筒にしてその中に内筒３６を配設した２重管構造となっている。
【００２５】
そして、スクリュー軸２８と内筒３６との間を高圧エアのエア供給路３８として高圧エアを下端部側のエア噴射ノズル４０より噴射しうるようにすると共に、、内筒３６内を超高圧水の水供給路４２として下端側の超高圧水噴射ノズル４４より超高圧水を噴射しうるようにしている。
【００２６】
また、スクリュー軸２８の下端には羽根ビット４６が設けられ、内筒３６の下端には逆止弁４８が設けられている。
【００２７】
なお、図示せぬが、多重間ロッド１８には、各種の薬剤や混合材の供給路を別途または一体に形成することができる。
【００２８】
そして、このような地盤改良用施工機１０を用いて透水層の造成施工を行う場合には、まず、地盤３４中の不透水層である改良対象地盤層５０の上層５２に上層スラブ５４を造成する。
【００２９】
この場合、まず、２重ジェット管２４の超高圧水噴射ノズル４４からの超高圧水の噴射やエア噴射ノズル４０からの高圧エアの噴射等によって地表５６から地盤３４を掘削しつつ地盤３４中に多重管ロッド１８を挿入し、改良対象地盤層５０の上層５２位置まで掘り下げる。
【００３０】
次いで、この位置で２重ジェット管２４からの超高圧水や高圧エア等の高圧噴射により改良対象地盤層５０の上層５２を所定範囲で水平掘削する。
【００３１】
この掘削にあたっては、２重ジェット管２４を上層スラブ５４形成位置下端から上端まで回転させながら上昇させていくことで、所定高さでの掘削が行える。
【００３２】
この場合、地中の掘削土はエアリフトを利用して、地上まで排出する。
【００３３】
またこの場合、２重ジェット管２４の超高圧水に混合して、あるいは２重ジェット管２４に設けた別の供給手段により、解こう材または分散剤を掘削土に供給すれば、解こう剤または分散剤材により掘削土の粘性復活作用であるチキソトロピーを防止して、確実に掘削土を地上に搬出することができる。
【００３４】
この解こう材または分散剤としては、粘土粒子あるいは粘土凝集物を分散させて粘性を低下させる効果を持つ、カルボン酸系水溶性高分子、ポリアクリル酸塩系化合物、フミン酸ソーダ等の添加物が採用できる。
【００３５】
所定範囲の掘削が終了したら、多重管ロッド１８のスクリューコンベア２２、あるいは他の供給手段により、掘削位置まで供給し、セメント５８を掘削空隙６０内に充填し上層スラブ５４を造成する。
【００３６】
このセメント５８の充填にあたっては、２重ジェット管２４からの超高圧水や高圧エア等の高圧噴射により掘削空隙６０の奥まで十分に行き渡らせることができる。
【００３７】
次に、この状態で、図２に示すように、多重管ロッド１８を引き上げて、上層スラブ５４が硬化するまで待って、次工程まで待機する。
【００３８】
そして、上層スラブ５４が硬化した後、図３に示すように、上層スラブ５４の下方に透水層６２を造成する。
【００３９】
この場合、まず、２重ジェット管２４の超高圧水噴射ノズル４４からの超高圧水の噴射やエア噴射ノズル４０からの高圧エアの噴射等によって上層スラブ５４を貫通させて多重管ロッド１８を改良対象地盤層５０まで挿入し、その下端位置まで掘り下げる。
【００４０】
次いで、この位置で２重ジェット管２４からの超高圧水や高圧エア等の高圧噴射により改良対象地盤層５０を所定範囲で水平掘削する。
【００４１】
この掘削にあたっては、２重ジェット管２４を透水層６２形成位置下端から上端まで回転させながら上昇させていくことで、所定高さでの掘削が行える。
【００４２】
この場合、前述の工程と同様、地中の掘削土はエアリフトを利用して、地上まで排出する。
【００４３】
この場合、２重ジェット管２４の超高圧水に混合して、あるいは２重ジェット管２４に設けた別の供給手段により、解こう材または分散剤を掘削土に供給すれば、解こう剤または分散剤により掘削土の粘性復活作用であるチキソトロピーを防止して、確実に掘削土を地上に搬出することができる。
【００４４】
そして、所定範囲の掘削が終了したら、多重管ロッド１８のスクリューコンベア２２により、透水性材料３２を材料用ホッパ３０から掘削位置まで供給し、透水性材料３２を掘削空隙６４内に充填し透水層６２を造成する。
【００４５】
透水性材料３２としては、例えば、砂、礫、砂礫、砂利等の他、代替物として粘性土中にエアと低強度硬化材を注入したものが採用できる。
【００４６】
低強度硬化材としては、例えば、流動化処理土（粘性土に泥水または水とセメント等の固化材を混合したもので流動性と自硬性を有するもの）、ソイルセメント（土砂に水とセメント系固化材、分離低減材（ベントナイトなど）を混合したもの）等が採用できる。
【００４７】
この場合、透水性材料３２の大きいものである場合、透水性材料３２をつなぎ材と共に掘削空隙６４に充填されるようにすることで、つなぎ材により透水性材料３２に流動性を持たせて確実に掘削空隙６４内に流し込むことができる。
【００４８】
この、つなぎ材としては、透水性材料３２が掘削空隙６４に充填された後、溶解する性質のもの、例えば、粘性材料（ベントナイト）や粉体（フライアッシュ、石粉等）を採用することができる。
【００４９】
また、透水性材料３２の沈降を防止するため、地山比重と同等の軽量骨材を投入材料として用いることもできる。
【００５０】
この透水性材料３２の充填にあたっては、２重ジェット管２４からの超高圧水や高圧エア等の高圧噴射により掘削空隙６４の奥まで十分に行き渡らせることができる。
【００５１】
このような透水層の造成方法によれば、改良対象地盤層５０の上層５２に上層スラブ５４を造成し、その下層である改良対象地盤層５０に透水層６２を造成するため、経年変化により透水層の強度が弱くなっても、上部荷重を上層スラブが受け持つことができ、透水層の経年変化による地盤沈下を防止することができ、しかも、上層スラブ５４を造成した後、透水層６２を造成するため、透水層６２形成位置上に施工機器等を設置していても、その重量によって施工中の穿孔部分が沈下するのを防止することができる。
【００５２】
また、透水性材料３２は、スクリューコンベア２２にて、充填位置まで搬送することで、透水性材料３２を目詰まりを生じさせることなく確実に充填位置まで搬送することができる。
【００５３】
本発明は、前記実施の形態に限定されるものではなく、本発明の要旨の範囲内において種々の形態に変形可能である。
【００５４】
例えば、前記実施の形態においては、道路や一般の平坦地等を想定して説明したが、この例に限らず、トンネルの掘削経路に沿って透水層を形成する場合には、上層スラブをその経路に沿って縦長に形成していき、その下部に透水層を形成するようにすればよい。
【００５５】
また、透水層の中に縦穴等を構築する場合や、透水層の一部が斜面に露出するような場合には、水平ボーリングを組み合わせることで、水抜き用のダクトを挿入して透水層中に含まれる水分を抜き出すようにすることも可能である。
【図面の簡単な説明】
【００５６】
【図１】本発明の一実施の形態に係る透水層の造成方法において上層スラブを造成する工程を示す側面図である。
【図２】図１の状態から上層スラブの硬化後の透水層の造成準備状態を示す側面図である。
【図３】図２の状態から透水層の造成状態を示す側面図である。
【図４】ジェット管及びスクリューコンベアのを示す断面図である。
【図５】ジェット管の先端部分の拡大断面図である。
【符号の説明】
【００５７】
１０  地盤改良用施工機
２２  スクリューコンベア
２２  ２重ジェット管
３２  透水性材料
３４  地盤
５０  改良対象地盤層
５２  上層
５４  上層スラブ
５８  セメント
６２  透水層
６４  掘削空隙
【図１】
2009138332.tif 000003
【図２】
2009138332.tif 000004
【図３】
2009138332.tif 000005
【図４】
2009138332.tif 000006
【図５】
2009138332.tif 000007